(57)【要約】【課題】本発明は加湿機能付空気清浄機に関するもので、加湿手段での通気抵抗が大きい場合に加湿空気清浄気空気および空気清浄空気の風量向上をすることができる。【解決手段】そしてこの目的を達成するために本発明は、本体ケース内１で、吸気口２から排気口３に送風される送風路にフィルター４を設け、このフィルター４の送風路下流に加湿手段６を設け、フィルター４と加湿手段６との間に第１の送風手段５を設けた構成とし、加湿手段６と排気口３との間に第２の送風手段７と、第１の送風手段５と排気口３とを連通する第１の連通路９と、フィルター４と加湿手段６とを第１の送風手段５を介さず連通する第２の連通路１０と、フィルター４と第２の送風手段７とを加湿手段を介さず連通する第３の連通路１１とを設け、第１の送風手段５から加湿手段６への送風路と、第３の連通路１１の開閉を交互に行う開閉手段８を設けた加湿空気清浄機。【選択図】図１
2010054113.tif 000002
【特許請求の範囲】
【請求項１】
吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に第１の送風手段を設けた構成とし、前記加湿手段と前記排気口との間に第２の送風手段と、前記第１の送風手段と前記排気口とを連通する第１の連通路と、前記空気清浄手段と前記加湿手段とを前記第１の送風手段を介さず連通する第２の連通路と、前記空気清浄手段と前記第２の送風手段とを前記加湿手段を介さず連通する第３の連通路とを設け、前記第１の送風手段から前記加湿手段への送風路と、第３の連通路の開閉を交互に行う開閉手段を設けた加湿空気清浄機。
【請求項２】
第１の送風手段と第２の送風手段は、１個のケーシング内に設けられ、このケーシング内に１個の電動機と１個の羽根を備え、この羽根は主板の両側に複数のブレードを備えた両吸込み型で、前記主板を境に一方側には前記第１の送風手段に当たる第１ブレード部と他方側には第２の送風手段に当たる第２ブレード部とを設け、前記ケーシングは前記羽根の主板と同一平面に仕切り部を設け、前記第１ブレード部側には第１吸込口を、前記第２ブレード部側には第２吸込口を設けた請求項１記載の加湿空気清浄機。
【請求項３】
電動機は前記羽根の前記第１ブレード部側に設けた、請求項２記載の加湿空気清浄機。
【請求項４】
開閉手段は前記第１の送風手段と設け加湿手段との間に設けた回動自在なダンパーであり、このダンパーを回動させる回動手段を備え、前記ダンパーは前記第１の送風手段から前記加湿手段への前記送風路を開いた場合に、前記ケーシングの前記仕切り部と同一面に位置し、前記第３の連通路を閉じる請求項２〜３のいずれかに記載の加湿空気清浄機。
【請求項５】
ダンパーは前記第１の送風手段から前記加湿手段への前記送風路を閉じた場合に、前記ケーシングの外周面と同一面に位置し、前記第３の連通路を開く請求項４に記載の加湿空気清浄機。
【請求項６】
ダンパーは平板状の支持部により軸部に固定され、この軸部は前記回動手段と連結されている請求項４〜５のいずれかに記載の加湿空気清浄機。
【請求項７】
開閉手段は第１の送風手段と前記加湿手段との間に設けた回動自在な第１のダンパーと第３の連通路に第２のダンパーとからなり、この第１のダンパーと第２のダンパーとを回動させる回動手段を備え、この第１のダンパーは前記第１の送風手段から前記加湿手段への送風路の開閉を行い、前記第２のダンパーは前記空気清浄手段から前記第２の送風手段への第３の連通路の開閉を行う請求項１〜３のいずれかに記載の加湿空気清浄機。
【請求項８】
第１のダンパーは前記第１の送風手段から前記加湿手段への前記送風路を閉じた場合に、前記ケーシングの外周面と同一面に位置し、第２のダンパーは前記空気清浄手段から前記第２の送風手段への第３の連通路を開いた場合に、第３の連通路の風向と平行に位置する請求項７に記載の加湿空気清浄機。
【請求項９】
第１のダンパーは前記第１の送風手段から前記加湿手段への前記送風路を開いた場合に、前記第１の送風手段から前記加湿手段へ風向と平行に位置し、第２のダンパーは前記空気清浄手段から前記第２の送風手段への第３の連通路を閉じた場合に、前記ケーシングの仕切り部と同一平面に位置する請求項７または８のいずれかに記載の加湿空気清浄機。
【請求項１０】
第１のダンパーと第２のダンパーは平板状の支持部により軸部に固定され、この軸部は前記回動手段と連結されている請求項７〜９のいずれかに記載の加湿空気清浄機。
【発明の詳細な説明】
【技術分野】
【０００１】
本発明は、空気を浄化しながら加湿することのできる加湿機能付空気清浄機に関する。
【背景技術】
【０００２】
従来のこの種の構成は以下のようになっていた。
【０００３】
すなわち、吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に第１の送風手段を設けた構成となっていた。
【特許文献１】特開２００６−１９７９１９号公報
【発明の開示】
【発明が解決しようとする課題】
【０００４】
上記従来例における課題は、加湿機能付空気清浄機における加湿空気清浄運転および空気清浄運転の風量が小さいということであった。
【０００５】
すなわち、加湿空気清浄運転の場合は、送風手段によって吸気口から吸込まれた室内空気を、空気清浄手段および加湿手段を介し、排気口より室内に送風される。このように、加湿および空気清浄処理された加湿空気清浄空気が供給されるが、加湿手段の通風抵抗が大きいため、加湿空気清浄空気の風量が小さくなる。
【０００６】
また、空気清浄運転の場合は、加湿手段への水の供給を停止することにより、送風手段によって吸気口から吸込まれた室内空気は、空気清浄手段を介し、水が供給されていない加湿手段を通り、排気口より室内に送風される。このように、空気清浄処理された空気清浄空気が供給されるが、水が供給されていない加湿手段を通過するので、その加湿手段での通風抵抗が大きいため、空気清浄空気の風量が小さくなる。
【０００７】
このように、加湿手段での通気抵抗が大きい場合、加湿空気清浄空気と空気清浄空気のどちらの風量も小さくなることが問題となっていた。
【０００８】
そこで本発明は、加湿手段での通気抵抗が大きい場合に加湿空気清浄気空気および空気清浄空気の風量向上を目的とするものである。
【課題を解決するための手段】
【０００９】
そしてこの目的を達成するために本発明は、吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に第１の送風手段を設けた構成とし、前記加湿手段と前記排気口との間に第２の送風手段と、前記第１の送風手段と前記排気口とを連通する第１の連通路と、前記空気清浄手段と前記加湿手段とを前記第１の送風手段を介さず連通する第２の連通路と、前記空気清浄手段と前記第２の送風手段とを前記加湿手段を介さず連通する第３の連通路とを設け、前記第１の送風手段から前記加湿手段への送風路と、第３の連通路の開閉を交互に行う開閉手段を設けたこれにより、初期の目的を達成するものである。
【発明の効果】
【００１０】
以上のように本発明は、吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に第１の送風手段を設けた構成とし、前記加湿手段と前記排気口との間に第２の送風手段と、前記第１の送風手段と前記排気口とを連通する第１の連通路と、前記空気清浄手段と前記加湿手段とを前記第１の送風手段を介さず連通する第２の連通路と、前記空気清浄手段と前記第２の送風手段とを前記加湿手段を介さず連通する第３の連通路とを設け、前記第１の送風手段から前記加湿手段への送風路と、第３の連通路の開閉を交互に行う開閉手段を設けた
ものであり、加湿手段での通気抵抗が大きい場合に空気清浄気加湿空気および空気清浄空気の風量向上ができるものである。
【００１１】
すなわち、第１のダンパーが開いた状態である加湿空気清浄運転時は、加湿手段と排気口との間に第２の送風手段を設け、空気清浄手段と加湿手段とを第１の送風手段を介さず連通する第２の連通路とを設けることにより、室内空気を吸気口から空気清浄手段および加湿手段を介し、第２の送風手段で排気口へ送風する従来の送風方式と、室内空気を吸気口から空気清浄手段を介し第１の送風手段で加湿手段へ送風し、更に第２の送風手段で加湿手段から排気口へ送風する送風方式との２つの送風方式となる。すなわち、従来の送風方式加え、加湿手段の前後に２つの送風手段を有する新たな送風方式により、室内の空気を加湿および空気清浄処理することとなり、結果として加湿手段の通気抵抗が大きい場合にも加湿空気清浄気空気の風量向上ができるものである。
【００１２】
また、第１のダンパーが閉じた状態である空気清浄運転は、第１の送風手段と排気口とを連通する第１の連通路を設けることにより、室内空気を吸気口から空気清浄手段を介し第１の送風手段で排気口へ送風する送風経路と、また、空気清浄手段と第２の送風手段とを加湿手段を介さず連通する第３の連通路を設けることにより，  室内空気を吸気口から空気清浄手段を介し第２の送風手段で排気口へ送風する送風経路、すなわち、加湿手段を介さない２つの送風経路により室内の空気を空気清浄処理することとなり、結果として加湿手段の通気抵抗が大きい場合にも空気清浄空気の風量向上ができるものであり、これらの結果により、加湿手段での通気抵抗が大きい場合に加湿空気清浄気空気および空気清浄空気の風量向上をすることができるものである。
【発明を実施するための最良の形態】
【００１３】
以下、本実施形態を添付図面を用いて説明する。
【００１４】
（実施の形態１）
図１〜５に示すように、本実施形態の加湿機能付空気清浄機は、吸気口２と排気口３を有する本体ケース１と、この本体ケース１内に空気清浄手段であるフィルター４を設けている。このフィルター４の下流に順次、第１の送風手段５、加湿手段６を設けている。この第１の送風手段５によって、室内空気が吸気口２からフィルター４および加湿手段６を介して排気口３より室内へ送風される。
【００１５】
本実施の形態においての特徴は、まず第２の送風手段７を設けたこと、次に３箇所に連通路を設けたこと、更に風路を開閉する開閉手段８を設けたことである。
【００１６】
具体的には、まず、加湿手段６と排気口３との間に第２の送風手段７を設けている。次に第１の送風手段５と排気口３とを連通する第１の連通路９と、フィルター４と加湿手段６とを第１の送風手段５を介さず連通する第２の連通路１０と、フィルター４と第２の送風手段７とを加湿手段６を介さず連通する第３の連通路１１とを設けている。更に第１の送風手段５から加湿手段６への送風路である第１送風加湿風路１２と、第３の連通路１１の開閉を交互に行う開閉手段８を設けたものである。この開閉手段８は回動自在なダンパー１３であり、ダンパー１３は複数の平板状の支持部１４により軸部１５に固定され、この軸部１５は回動手段１６と連結されている。すなわち、このダンパー１３は回動手段１６によって回動するものである。
【００１７】
また、第１の送風手段５と第２の送風手段７は１つの送風機１７によって構成されている。この送風機１７はケーシング１８を有し、このケーシング１８内にはこのケーシング１８内に配設された電動機１９と、この電動機１９によって回転駆動される遠心送風式の両吸込み型の羽根２０により構成されている。
【００１８】
具体的には、羽根２０は主板２１の両側に複数のブレードを備えた両吸込み型で、主板２１を境に一方側には第１の送風手段５に当たる第１ブレード部２２と他方側には第２の送風手段７に当たる第２ブレード部２３とを設けている。また、ケーシング１８は羽根２０の主板２１と同一平面に仕切り部２４を設け、第１ブレード部２２側には第１吸込口２５と、２箇所の吹出口である第１吹出口２６と第２吹出口２７を設け、第２ブレード部２３側には第２吸込口２８と、第３吹出口２９を設けている。電動機１９は羽根２０の第１ブレード部２２側に設けている。
【００１９】
このように、第１の送風手段５と第２の送風手段７は、１つの送風機１７であるケーシング１８内に設けられた電動機１９によって回転駆動される遠心送風式の両吸込み型の羽根２０により構成することにより、ケーシング１８、電動機１９および両吸込み型の羽根２０が各１個で構成することができるので、送風機１７の小型化が可能となる。また、電動機１９を羽根２０の第１ブレード部２２側に設けることにより、加湿された空気は羽根２０の第２ブレード部２３側を通ることとなり、すなわち、電動機１９を加湿された空気が通らないので、電動機１９の加湿された空気による劣化が防止される。
【００２０】
このような構成において、加湿機能付空気清浄機の加湿空気清浄運転時と空気清浄運転時のダンパー１３の動き、および空気の流れを説明する。
【００２１】
まず、加湿空気清浄運転時のダンパー１３は回動手段１６により回動し、第１送風加湿風路１２を開き、第３の連通路１１を閉じている。具体的にはケーシング１８の仕切り部２４と同一面に位置している。
【００２２】
この状態での空気の流れは２通りあり、一方は、室内空気を吸気口２からフィルター４へ送風し、フィルター４から第２の連通路１０を介し加湿手段６へ送られ、第２の送風手段７であるケーシング１８の第２吸込口２８から電動機１９が回転することにより第２ブレード部２３により吸込まれ、第３吹出口２９に吹出し、排気口３へと送風するものであり、すなわち第２の送風手段７により送風されるものである。
【００２３】
また、他方は、室内空気を吸気口２からフィルター４へを介し、第１の送風手段５であるケーシング１８の第１吸込口２５から電動機１９が回転することにより第１ブレード部２２により吸込まれ、第１吹出口２６に吹出すと共に、第２吹出口２７より吹出し、第１送風加湿風路１２の開状態のダンパー１３を通り、加湿手段６へ送風し、更に第２の送風手段７であるケーシング１８の第２吸込口２８から電動機１９が回転することにより第２ブレード部２３により吸込まれ、第３吹出口２９に吹出し、加湿手段６から排気口３へ送風するものであり、すなわち第１の送風手段５と第２の送風手段７により送風されるものである。
【００２４】
このように、加湿手段と排気口との間に第２の送風手段を設け、空気清浄手段と加湿手段とを第１の送風手段を介さず連通する第２の連通路とを設けることにより、室内空気を吸気口から空気清浄手段および加湿手段を介し、第２の送風手段で排気口へ送風する従来の送風方式と、室内空気を吸気口から空気清浄手段を介し第１の送風手段で加湿手段へ送風し、更に第２の送風手段で加湿手段から排気口へ送風する送風方式との２つの送風方式となる。すなわち、従来の送風方式加え、加湿手段の前後に２つの送風手段を有する新たな送風方式により、室内の空気を加湿および空気清浄処理することとなり、結果として加湿手段の通気抵抗が大きい場合にも加湿空気清浄気空気の風量向上ができるものである。
【００２５】
また、第１の送風手段５であるケーシング１８の第１吸込口２５から電動機１９が回転することにより第１ブレード部２２により吸込まれ、第１吹出口２６に吹出すと共に、第２吹出口２７より吹出し、第１送風加湿風路１２の開状態のダンパー１３を通り、加湿手段６へ送風する場合に、ダンパー１３はケーシング１８の仕切り部２４と同一面に位置している、すなわち、ケーシング１８とダンパー１３とで段差が無く、第２吹出口２７より吹き出されるので、圧力損失を小さくすることができる。
【００２６】
また、開閉手段８は回動自在なダンパー１３であり、このダンパー１３は複数の平板状の支持部１４により軸部１５に固定されているので、第２吹出口２７より吹出された空気は平板状の支持部１４により整流され、加湿手段６へ偏ることなく送風することができる。
【００２７】
次に、空気清浄運転時のダンパー１３は回動手段１６により回動し、第１送風加湿風路１２を閉じ、第３の連通路１１を開いている。具体的にはケーシング１８の外周面３０と同一面に位置している。
【００２８】
この状態での空気の流れは２通りあり、一方は室内空気を吸気口２から空気清浄手段５を介し第１の送風手段５で第１の連通路９を通り、排気口３へ送風するものである。他方は第２の送風手段７によって室内空気を吸気口２から空気清浄手段５へ送風し、更に開状態のダンパー１３を介し第３の連通路１１を通り排気口３へ送風するものである。
【００２９】
このように、第１の送風手段と排気口とを連通する第１の連通路を設けることにより、室内空気を吸気口から空気清浄手段を介し第１の送風手段で排気口へ送風する送風経路と、また、空気清浄手段と第２の送風手段とを加湿手段を介さず連通する第３の連通路を設けることにより，  室内空気を吸気口から空気清浄手段を介し第２の送風手段で排気口へ送風する送風経路、すなわち、加湿手段を介さない２つの送風経路により室内の空気を空気清浄処理することとなり、結果として加湿手段の通気抵抗が大きい場合にも空気清浄空気の風量向上ができるものである。
【００３０】
また、空気清浄運転時のダンパー１３は回動手段１６により回動し、第１送風加湿風路１２を閉じ、第３の連通路１１を開いている場合に、ケーシング１８の外周面３０と同一面に位置している。すなわち、ケーシング１８とダンパー１３とで段差が無く、ダンパー１３がケーシング１８の一部を構成するので、圧力損失を小さくすることができる。
【００３１】
（実施の形態２）
実施の形態２は図６に示すように、実施の形態１に対して開閉手段が異なる。
【００３２】
すなわち、開閉手段は第１の送風手段と前記加湿手段との間に設けた回動自在な第１のダンパー１３ａと、第３の連通路に設けた第２のダンパー１３ｂとから構成されている。
【００３３】
具体的には、第１のダンパー１３ａと第２のダンパー１３ｂとを回動させる回動手段１６ａを備え、この第１のダンパー１３ａは第１の送風手段５から加湿手段６への送風路の開閉を行い、第２のダンパー１３ｂは空気清浄手段であるフィルター４から第２の送風手段７への第３の連通路１１の開閉を行う。第１のダンパー１３ａと第２のダンパー１３ｂは複数の平板状の支持部１４ａにより軸部１５ａに固定され、この軸部１５ａは回動手段１６ａと連結されている。
【００３４】
このような構成において、加湿機能付空気清浄機の加湿空気清浄運転時と空気清浄運転時の第１のダンパー１３ａ、第２のダンパー１３ｂの動き、および空気の流れを説明する。
【００３５】
まず、加湿空気清浄運転時の第１のダンパー１３ａは第１の送風手段５から加湿手段６への送風路を開いた場合に、第１の送風手段５から加湿手段６へ風向と平行に位置し、第２のダンパー１３ｂは空気清浄手段であるフィルター４から第２の送風手段７への第３の連通路１１を閉じた場合に、ケーシングの仕切り部と同一平面に位置する。
【００３６】
この状態での空気の流れは２通りあり、一方は、室内空気を吸気口２からフィルター４へ送風し、フィルター４から第２の連通路１０を介し加湿手段６へ送られ、第２の送風手段７であるケーシング１８の第２吸込口２８から電動機１９が回転することにより第２ブレード部２３により吸込まれ、第３吹出口２９に吹出し、排気口３へと送風するものであり、すなわち第２の送風手段７により送風されるものである。
【００３７】
また、他方は、室内空気を吸気口２からフィルター４へを介し、第１の送風手段５であるケーシング１８の第１吸込口２５から電動機１９が回転することにより第１ブレード部２２により吸込まれ、第１吹出口２６に吹出すと共に、第２吹出口２７より吹出し、第１送風加湿風路１２の開状態の第１のダンパー１３ａを通り、加湿手段６へ送風し、更に第２の送風手段７であるケーシング１８の第２吸込口２８から電動機１９が回転することにより開状態の第２のダンパー１３ｂを通り、第２ブレード部２３により吸込まれ、第３吹出口２９に吹出し、加湿手段６から排気口３へ送風するものであり、すなわち第１の送風手段５と第２の送風手段７により送風されるものである。
【００３８】
このように、第１のダンパー１３ａは第１の送風手段５から加湿手段６への送風路を開いた場合に、第１の送風手段５から加湿手段６へ風向と平行に位置し、第２のダンパー１３ｂは空気清浄手段であるフィルター４から第２の送風手段７への第３の連通路１１を閉じた場合に、ケーシングの仕切り部と同一平面に位置する、すなわち、第１のダンパー１３ａと第２のダンパー１３ｂは空気の流れと平行に位置するので、圧力損失を小さくすることができる。
【００３９】
また、第１のダンパー１３ａと第２のダンパー１３ｂは複数の平板状の支持部１４ａにより軸部１５ａに固定されているので、第２吹出口２７より吹出し開状態の第１のダンパー１３ａを通り加湿手段６へ送風する場合には、第１のダンパー１３ａの複数の平板状の支持部１４ａで整流され、加湿手段６から開状態の第２のダンパー１３ｂを通り、ケーシング１８の第２吸込口２８へ送風する場合に、第２のダンパー１３ｂの複数の平板状の支持部１４ａで整流されるので、偏ることなく送風することができる。
【００４０】
次に、空気清浄運転時の第１のダンパー１３ａは第１の送風手段５から加湿手段６への送風路を閉じた場合に、ケーシングの外周面３０と同一面に位置し、第２のダンパー１３ｂは空気清浄手段であるフィルター４から第２の送風手段７への第３の連通路１１を開いた場合に、第３の連通路１１の風向と平行に位置する。
【００４１】
この状態での空気の流れは２通りあり、一方は室内空気を吸気口２から空気清浄手段５を介し第１の送風手段５で第１の連通路９を通り、排気口３へ送風するものである。他方は第２の送風手段７によって室内空気を吸気口２から空気清浄手段５へ送風し、更に開状態の第２のダンパー１３ｂを介し第３の連通路１１を通り排気口３へ送風するものである。
【００４２】
すなわち、空気清浄運転時で、第２の送風手段７によって室内空気を吸気口２から空気清浄手段５へ送風し、更に開状態の第２のダンパー１３ｂを介し第３の連通路１１を通り排気口３へ送風する場合に、空気清浄手段５から開状態の第２のダンパー１３ｂを介し第３の連通路１１に流れるので、第２のダンパー１３ｂの大きさで空気清浄手段５からへ第３の連通路１１に流れる経路の大きさ、つまり経路の圧損抵抗が決まるが、上記構成のように第１のダンパー１３ａと第２のダンパー１３ｂに分けたことにより、第１のダンパー１３ａの大きさはほぼ第２吹出口２７の大きさとなるが、第２のダンパー１３ｂの大きさは第２吹出口２７の大きさに囚われることなくり大きくすることが可能となり、結果として風量を大きくすることができる。
【００４３】
また、第１のダンパー１３ａは第１の送風手段５から加湿手段６への送風路を閉じた場合に、ケーシングの外周面３０と同一面に位置し、第２のダンパー１３ｂは空気清浄手段であるフィルター４から第２の送風手段７への第３の連通路１１を開いた場合に、第３の連通路１１の風向と平行に位置するので、圧力損失を小さくすることができる。
【産業上の利用可能性】
【００４４】
以上のように本発明は、吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に第１の送風手段を設けた構成とし、前記加湿手段と前記排気口との間に第２の送風手段と、前記第１の送風手段と前記排気口とを連通する第１の連通路と、前記空気清浄手段と前記加湿手段とを前記第１の送風手段を介さず連通する第２の連通路と、前記空気清浄手段と前記第２の送風手段とを前記加湿手段を介さず連通する第３の連通路とを設け、前記第１の送風手段から前記加湿手段への送風路と、第３の連通路の開閉を交互に行う開閉手段を設けたものであり、加湿手段での通気抵抗が大きい場合に加湿空気清浄気空気および空気清浄空気の風量向上をすることができるものである。
【００４５】
すなわち、第１のダンパーが開いた状態である加湿空気清浄運転時は、加湿手段と排気口との間に第２の送風手段を設け、空気清浄手段と加湿手段とを第１の送風手段を介さず連通する第２の連通路とを設けることにより、室内空気を吸気口から空気清浄手段および加湿手段を介し、第２の送風手段で排気口へ送風する従来の送風方式と、室内空気を吸気口から空気清浄手段を介し第１の送風手段で加湿手段へ送風し、更に第２の送風手段で加湿手段から排気口へ送風する送風方式との２つの送風方式となる。すなわち、従来の送風方式加え、加湿手段の前後に２つの送風手段を有する新たな送風方式により、室内の空気を加湿および空気清浄処理することとなり、結果として加湿手段の通気抵抗が大きい場合にも加湿空気清浄気空気の風量向上ができるものである。
【００４６】
また、第１のダンパーが閉じた状態である空気清浄運転は、第１の送風手段と排気口とを連通する第１の連通路を設けることにより、室内空気を吸気口から空気清浄手段を介し第１の送風手段で排気口へ送風する送風経路と、また、空気清浄手段と第２の送風手段とを加湿手段を介さず連通する第３の連通路を設けることにより，  室内空気を吸気口から空気清浄手段を介し第２の送風手段で排気口へ送風する送風経路、すなわち、加湿手段を介さない２つの送風経路により室内の空気を空気清浄処理することとなり、結果として加湿手段の通気抵抗が大きい場合にも空気清浄空気の風量向上ができるものであり、これらの結果により、加湿手段での通気抵抗が大きい場合に加湿空気清浄気空気および空気清浄空気の風量向上をすることができる。
【００４７】
従って、家庭用や事務所用などの、加湿機能付空気清浄機として活用が期待されるものである。
【図面の簡単な説明】
【００４８】
【図１】本発明の実施の形態１の本体を示す外観図
【図２】同本体の構造を示す概略図
【図３】同ダンパーを示す外観図
【図４】同本体のダンパー構造を示す概略図
【図５】同本体の送風機を示す概略図
【図６】本発明の実施の形態２の本体のダンパー構造を示す概略図
【符号の説明】
【００４９】
１      本体ケース
２      吸気口
３      排気口
４      フィルター
５      第１の送風手段
６      加湿手段
７      第２の送風手段
８      開閉手段
９      第１の連通路
１０    第２の連通路
１１    第３の連通路
１２    第１送風加湿風路
１３    ダンパー
１３ａ  第１のダンパー
１３ｂ  第２のダンパー
１４    支持部
１４ａ  支持部
１５    軸部
１５ａ  軸部
１６    回動手段
１６ａ  回動手段
１７    送風機
１８    ケーシング
１９    電動機
２０    羽根
２１    主板
２２    第１ブレード部
２３    第２ブレード部
２４    仕切り部
２５    第１吸込口
２６    第１吹出口
２７    第２吹出口
２８    第２吸込口
２９    第３吹出口
【図１】
2010054113.tif 000003
【図２】
2010054113.tif 000004
【図３】
2010054113.tif 000005
【図４】
2010054113.tif 000006
【図５】
2010054113.tif 000007
【図６】
2010054113.tif 000008